(57)【要約】【課題】安価かつ簡素な構成で除湿水の排水不良を検知する。【解決手段】空調ユニット１５と、空調ユニット１５と回転ドラム３の間に設けたファンユニット２４と、回転ドラム３内の空気を吸引して空調ユニット２４に通し除湿および加熱をして乾燥した高温空気とした後、回転ドラム３に戻す循環送風経路３６と、ファン２１を通過し回転ドラム３に至るまでの区間で空気の温度を検出する温風温度検出手段２５と、運転を制御する制御手段４１とを備え、制御手段４１は、温風温度検出手段２５の検出温度に基づいて、除湿用熱交換器１３から発生する除湿水の排水不良を検知するようにしたものであるので、除湿水の排水不良が発生すると、空気とともに除湿水を吸引して送風し温風温度検出手段２５の検出温度が正常時と異なることで検知できるようになり、除湿水の排水不良に起因する故障、誤動作、水あふれ等を防止することができる。【選択図】図３
2010268943.tif 000002
【特許請求の範囲】
【請求項１】
空気の吸引導入口および吸引排出口を有する空調ユニットケースと、前記空調ユニットケース内に配置し、前記吸引導入口から前記吸引排出口への空調風路途中に位置して空気を除湿し加熱させる除湿用熱交換器および加熱用熱交換器と、前記除湿用熱交換器で除湿した除湿水を一時的に貯留する除湿水貯留部を有する空調ユニットと、前記空調ユニットと回転ドラムの間に設けたファンユニットと、前記回転ドラム内の空気を吸引して前記空調ユニットに通し除湿および加熱をして乾燥した高温空気とした後、前記回転ドラムに戻す循環送風経路と、前記ファンを通過し前記回転ドラムに至るまでの区間で空気の温度を検出する温風温度検出手段と、運転を制御する制御手段とを備え、前記制御手段は、前記温風温度検出手段の検出温度に基づいて、除湿水の排水不良を検知するようにした衣類乾燥機。
【請求項２】
制御手段は、温風温度検出手段の所定時間内での検出温度最大値と最小値の差が閾値を超えると除湿水排水不良と判定するようにした請求項１記載の衣類乾燥機。
【請求項３】
制御手段は、温風温度検出手段の検出温度に基づいて乾燥工程における除湿用熱交換器と加熱用熱交換器での熱交換能力制御を行うとともに、乾燥工程の終了を判定するようにした請求項１または２記載の衣類乾燥機。
【請求項４】
温風温度検出手段は、ファンとファンケースとファンモータで構成したファンユニットの出口近傍に設けた請求項１〜３のいずれか１項に記載の衣類乾燥機。
【請求項５】
吸引排出口側の除湿水貯留部上端は、除湿用熱交換器および加熱用熱交換器の下端より下方に位置するようにした請求項１〜４のいずれか１項に記載の衣類乾燥機。
【請求項６】
吸引排出口側の除湿水貯留部上端は、ファンモータのシャフトより下方に位置するようにした請求項１〜５のいずれか１項に記載の衣類乾燥機。
【請求項７】
加熱用熱交換器の排出面側の吸引排出口の近傍域に、吸引排出口から加熱用熱交換器に及ぶ吸引作用を抑える遮蔽壁を設けた請求項１〜６のいずれか１項に記載の衣類乾燥機。
【請求項８】
遮蔽壁は、加熱用熱交換器の排出面との間に隙間を有して設けた請求項７記載の衣類乾燥機。
【請求項９】
ファンケースの下部に水抜き穴を設けた請求項１〜８のいずれか１項に記載の衣類乾燥機。
【請求項１０】
ファンモータ動作中に水抜き穴を閉状態とし、停止中に開状態とするファンの吸引力を利用する逆止弁を設けた請求項９記載の衣類乾燥機。
【請求項１１】
圧縮機と減圧手段を備え、除湿用熱交換器を蒸発器とし、加熱用熱交換器を凝縮器として冷凍サイクルを構成した請求項１〜１０のいずれか１項に記載の衣類乾燥機。
【請求項１２】
圧縮機を空調ユニットケース内に収容し、吸引排出口側の除湿水貯留部上端は、圧縮機側の除湿水貯留部上端はよりも低くした請求項１１記載の衣類乾燥機。
【請求項１３】
回転ドラムに収容した衣類の洗濯を可能にした請求項１〜１２のいずれか１項に記載の衣類乾燥機。
【発明の詳細な説明】
【技術分野】
【０００１】
本発明は、ドラム式洗濯乾燥機などの機器に搭載され、循環空気を除湿し加熱する空調する空調ユニットに関し、特に除湿水排水不良検知に関するものである。
【背景技術】
【０００２】
従来、この種の除湿水の排水不良を検知する技術は、自己発熱特性を有するサーミスタを設け、排水不良時にサーミスタが水没し、サーミスタの検出温度が変化することを利用したものがある（例えば、特許文献１参照）。また、商用電源と電気絶縁された一対の電極を設け、排水不良時に電極が水没して電極間の電気抵抗が変化することを利用したもの（例えば、特許文献２参照）がある。
【先行技術文献】
【特許文献】
【０００３】
【特許文献１】特開２００６−２６２９２４号公報
【特許文献２】特開２００８−９９９８１号公報
【発明の概要】
【発明が解決しようとする課題】
【０００４】
しかしながら、上記従来の構成では、関連部品を含めた構成が複雑で、高価という課題があった。
【０００５】
本発明は上記従来の課題を解決するもので、安価な構成にて除湿水排水不良を検知し、衣類乾燥機を構成する部品の水没による故障、誤動作、水あふれを防止し、安価で信頼性の高い衣類乾燥機を提供することを目的とするものである。
【課題を解決するための手段】
【０００６】
上記従来の課題を解決するために、本発明の衣類乾燥機は、空調ユニットと、空調ユニットと回転ドラムの間に設けたファンユニットと、回転ドラム内の空気を吸引して空調ユニットに通し除湿および加熱をして乾燥した高温空気とした後、回転ドラムに戻す循環送風経路と、ファンを通過し回転ドラムに至るまでの区間で空気の温度を検出する温風温度検出手段と、運転を制御する制御手段とを備え、制御手段は、温風温度検出手段の検出温度に基づいて、除湿水の排水不良を検知するようにしたものである。
【０００７】
これにより、安価な構成で信頼性に優れた除湿水排水不良を検知することができる。
【発明の効果】
【０００８】
本発明の衣類乾燥機は、安価でかつ簡素な構成で、除湿水の排水不良を検知することができる。
【図面の簡単な説明】
【０００９】
【図１】本発明の実施の形態１の衣類乾燥機の概略構成図
【図２】同衣類乾燥機を背部から見た内部構成図
【図３】同衣類乾燥機の空調ユニットおよびファンユニットの要部断面図
【図４】同衣類乾燥機の図３のＡ−Ａ線断面図
【発明を実施するための形態】
【００１０】
第１の発明は、空気の吸引導入口および吸引排出口を有する空調ユニットケースと、前
記空調ユニットケース内に配置し、前記吸引導入口から前記吸引排出口への空調風路途中に位置して空気を除湿し加熱させる除湿用熱交換器および加熱用熱交換器と、前記除湿用熱交換器で除湿した除湿水を一時的に貯留する除湿水貯留部を有する空調ユニットと、前記空調ユニットと回転ドラムの間に設けたファンユニットと、前記回転ドラム内の空気を吸引して前記空調ユニットに通し除湿および加熱をして乾燥した高温空気とした後、前記回転ドラムに戻す循環送風経路と、前記ファンを通過し前記回転ドラムに至るまでの区間で空気の温度を検出する温風温度検出手段と、運転を制御する制御手段とを備え、前記制御手段は、前記温風温度検出手段の検出温度に基づいて、除湿水の排水不良を検知するようにしたことにより、除湿水の排水不良が発生すると、ファンが空気とともに除湿水を吸引して送風し温風温度検出手段の検出温度が正常時と異なることで検知できるようになり、大量生産され安価で信頼性の高い一般的な温度検出手段で、除湿水の排水不良検知を実現でき、安価で簡素かつ信頼性の高い衣類乾燥機を提供することができる。そして、除湿水の排水不良に起因する故障、誤動作、水あふれ等を防止することができる。
【００１１】
第２の発明は、特に、第１の発明の制御手段は、温風温度検出手段の所定時間内での検出温度最大値と最小値の差が閾値を超えると除湿水排水不良と判定するようにしたことにより、排水不良が発生するとファンが空気とともに除湿水を吸引して送風し、温風温度が低下することを検知し、簡単な判定方式にて排水不良を精度良く判定できる。
【００１２】
第３の発明は、特に、第１または第２の発明の制御手段は、温風温度検出手段の検出温度に基づいて乾燥工程における除湿用熱交換器と加熱用熱交換器での熱交換能力制御を行うとともに、乾燥工程の終了を判定するようにしたことにより、空気温度検出手段を除湿水排水不良検知以外にも用いることができ、さらに安価で簡素かつ信頼性の高い衣類乾燥機を提供できる。
【００１３】
第４の発明は、特に、第１〜第３のいずれか１つの発明の温風温度検出手段は、ファンとファンケースとファンモータで構成したファンユニットの出口近傍に設けたことにより、ファンが除湿水を吸い込んで吐き出した直後の空気の温度を検出して気水分離前の空気の温度を検出し、排水不良時発生時の水を吸い込んだ際の温度検出手段の検出温度の低下度を大きくすることができ、排水不良検知の精度を高めることができる。
【００１４】
第５の発明は、特に、第１〜第４のいずれか１つの発明の吸引排出口側の除湿水貯留部上端は、除湿用熱交換器および加熱用熱交換器の下端より下方に位置するようにしたことにより、排水不良が発生した際、除湿用または加熱用熱交換器が水没する前にファン側に水が流れ出し、ファンが除湿水とともに温風を送風するので、除湿用または加熱用熱交換器が水没を防ぎながら空気温度検出手段で排水不良を検知できる。
【００１５】
第６の発明は、特に、第１〜第５のいずれか１つの発明の吸引排出口側の除湿水貯留部上端は、ファンモータのシャフトより下方に位置するようにしたことにより、排水不良が発生した際、シャフトの水没を防ぎ、シャフトの錆や、ファンモータの故障を防止することができる。
【００１６】
第７の発明は、特に、第１〜第６のいずれか１つの発明の加熱用熱交換器の排出面側の吸引排出口の近傍域に、吸引排出口から加熱用熱交換器に及ぶ吸引作用を抑える遮蔽壁を設けたことにより、排水が正常に行われているのにファンに除湿水が吸引されるのを防止し、誤検知を防止できる。
【００１７】
第８の発明は、特に、第７の発明の遮蔽壁は、加熱用熱交換器の排出面との間に隙間を有して設けたことにより、吸引排出口からの吸引は回り込んで及ぶようになるので、加熱用熱交換器が遮蔽壁で覆われる範囲で通風が阻止されるのを防止することができる。
【００１８】
第９の発明は、特に、第１〜第８のいずれか１つの発明のファンケースの下部に水抜き穴を設けたことにより、ファンモータのシャフト、ベアリング等の可動部の水没を防いてファンモータの故障を防ぐことができる。
【００１９】
第１０の発明は、特に、第９の発明のファンモータ動作中に水抜き穴を閉状態とし、停止中に開状態とするファンの吸引力を利用する逆止弁を設けたことにより、ファン動作中の外気の吸い込みによる温風温度の低下が防止でき、乾燥性能の低下を防止することができる。
【００２０】
第１１の発明は、特に、第１〜第１０のいずれか１つの発明において、圧縮機と減圧手段を備え、除湿用熱交換器を蒸発器とし、加熱用熱交換器を凝縮器として冷凍サイクルを構成したことにより、消費電力を減らしつつ除湿および加熱能力を大幅に増大せしめ、乾燥時間の大幅な短縮と消費電力量の大幅な削減を実現できる。
【００２１】
第１２の発明は、特に、第１１の発明の圧縮機を空調ユニットケース内に収容し、吸引排出口側の除湿水貯留部上端は、圧縮機側の除湿水貯留部上端はよりも低くしたことにより、除湿水が除湿水貯留部から圧縮機側に流れ込む前にファン側に流れ込んで排水不良を検知でき、圧縮機の水没を防ぐことができる。
【００２２】
第１３の発明は、特に、第１〜第１２のいずれか１つの発明において、回転ドラムに収容した衣類の洗濯を可能にしたことにより、回転ドラムに収容した衣類の洗濯を可能にし、衣類の洗濯から乾燥までを同一槽内で一貫して行うことができ、単一筐体で省スペースの衣類洗濯乾燥機を提供できる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における衣類乾燥機の概略構成図、図２は、同衣類乾燥機を背部から見た内部構成図、図３は、同衣類乾燥機の空調ユニットおよびファンユニットの要部断面図（図４のＢ−Ｂ線断面図）、図４は、同衣類乾燥機の図３のＡ−Ａ線断面図である。
【００２５】
本体１の内部には、円筒状の水槽２を設け、水槽２の内部には、衣類（図示せず）を収容する円筒状の回転ドラム３を回転可能に設け、ドラムモータ４により回転駆動される。回転ドラム３は洗濯工程においては、衣類の洗濯室となり、乾燥工程においては、衣類の乾燥室となる。回転ドラム３には、その周面に水槽２内に通じる多数の透孔５が形成され、内周面の周方向複数位置に攪拌突起（図示せず）が設けられている。本体１の前面には衣類を出し入れする衣類投入口６と、これを開閉する扉７が設けられている。水槽２には注水管路８及び排水管路９が配管接続され、図示しない注水弁及び排水弁の制御によって水槽２内への注水及び排水がなされる。
【００２６】
圧縮機１０、凝縮器（加熱用熱交換器）１１、減圧手段１２、蒸発器（除湿用熱交換器）１３を環状に管で接続して冷凍サイクルを構成し、空調ユニットケース１４に収納して空調ユニット１５としている。機械室風路区画壁１６で空調ユニットケース１４内を機械室１７と空調風路１８に区画し、吸引導入口１９から吸引排出口２０に至る空調風路１８において蒸発器１３は吸引導入口１９側に、凝縮器１１は吸引排出口２０側に配し、圧縮機１０と減圧手段１２は機械室１７に配している。
【００２７】
吸引排出口２０にファン２１とファンケース２２とファンモータ２３で構成されるファンユニット２４と取り付け、ファンユニット２４の出口近傍に温風温度検出手段２５を設けている。ファンケース２２の最下点近傍に水抜き穴２６を設け、ファン２１回転中のファンケース２２内に生ずる負圧によって水抜き穴２６を閉じる逆止弁２７を設けている。
【００２８】
空調ユニット１５の空調風路１８下部は、蒸発器１３で発生する除湿水を一時的に貯留する除湿水貯留部２８としており、吸引排出口２０側の除湿水貯留部上端２９は、蒸発器１３および凝縮器１１の下端１３１および１１１よりも下方に位置している。さらに、吸引排出口２０側の除湿水貯留部上端２９は、除湿水貯留部２８の圧縮機１０側の除湿水貯留部上端３０、すなわち、機械室風路区画壁１６の最下点よりも下方に位置している。除湿水貯留部２８に排水ポンプ３１を持った排水管路３２が接続され、排水ポンプ３１を間欠駆動して過不足ない排水を行う。
【００２９】
ファンユニット２４と水槽２は送風管路３３で連通させ、また、水槽２とフィルタ３４は導入管路３５ａで連通させ、さらに、フィルタ３４と吸引導入口１９は導入管路３５ｂで連通させている。送風管路３３と導入管路３５ａと導入管路３５ｂで循環送風経路３６を構成している。導入管路３５ｂに戻り空気温度検出手段３７を設けている。また、凝縮器１１の排出面側の吸引排出口１９の近傍域に、吸引排出口１９から凝縮器１１に及ぶ吸引作用を抑える遮蔽壁３８を設けている。ここで、凝縮器１１の排出面と遮蔽壁３８の間に隙間３９を設けている。
【００３０】
本体１の前面上部に操作手段４０を配置しており、操作手段４０の操作や、温風温度検出手段２５、戻り空気温度検出手段３７の情報が制御手段４１に入力され、制御手段４１は、圧縮機１０、ドラムモータ４、ファンモータ２３、排水ポンプ３１、図示しない注水弁及び排水弁を制御して洗濯、脱水、乾燥の各運転を制御する。
【００３１】
以上のような構成において、動作、作用について説明する。洗濯運転では、図示しない排水弁を閉じた状態で水槽２内に所定の水位に達するまで給水を行い、ドラムモータ４により衣類と洗浄水の入った回転ドラム３を回転させて衣類の洗濯を行う。また、洗濯後の濯ぎ運転でも、洗濯運転と同様に水槽２内に給水を行い、回転ドラム３を回転させて衣類の濯ぎを行う。脱水運転では、図示しない排水弁を開いて機外へ水を排水した後、ドラムモータ４により衣類の入った回転ドラム３を高速回転して透孔５を通じて水を排出し脱水する。
【００３２】
乾燥運転が開始されると、ファンモータ２３を動作させ、ファン２１は導入管路３５ａ、導入管路３５ｂを通じて水槽２内の空気をフィルタ３４を通して吸引導入口１９から吸引し、蒸発器１３、凝縮器１１の順に空気を通流させる。そして、ファン２１は吸引した空気を送風管路３３を通じて水槽２に戻す。水槽２を通過した空気にはリントが混入しているが、フィルタ３４で捕捉され、蒸発器１３のリント詰まりを防止する。
【００３３】
また、圧縮機１０を動作させて冷凍サイクルを機能させる。蒸発器１３にて低温低圧の気液混合の冷媒は水槽２より出た多湿の空気より顕熱および潜熱を吸熱して蒸発し、低圧の過熱状態のガス状冷媒となる。そして、圧縮機１０が吸入した冷媒は圧縮されて高温高圧のガス状冷媒となり、凝縮器１１にて空気に放熱して凝縮し、高圧の液状冷媒となる。
【００３４】
そして、減圧手段１２にて減圧され、再び蒸発器１３に流入する。ここで、空気は蒸発器１３を通流する際、冷却されて除湿され除湿水が発生し、除湿水貯留部２８に貯留する。排水ポンプ３１を間欠駆動し、排水管路３２を通じて本体１外へと除湿水を排出する。
【００３５】
また、空気は凝縮器１１を通流する際、加熱され、高温の低湿の空気となる。空気の温
度が上昇し、温風温度検出手段２５の検出温度が所定温度に達すると、圧縮機１０の能力を制御して凝縮器１１、蒸発器１３での熱交換能力を制御し、水槽２に吹き込む空気の温度を一定に維持する。
【００３６】
また、回転ドラム３はドラムモータ４により回転駆動されて衣類は上下に攪拌され、水槽２に吹き込む高温低湿の空気が満遍なく衣類に接触し、乾燥が進行する。乾燥が進行するにつれ水槽２を通過した空気の温度が上昇し、温風温度検出手段２５と戻り空気温度検出手段３７の検出温度差が減少する。この検出温度差が所定値になると制御手段４１は乾燥終了と判定し、ドラムモータ４、圧縮機１０、ファンモータ２３の動作を停止して乾燥が終了する。
【００３７】
以下、本発明の特徴である、排水ポンプ３１の故障や、排水管路３２の詰まりに起因する除湿水の排水不良検知について説明する。正常に除湿水が排出されないと、除湿水貯留部２８での水位が上昇し、この水位が吸引排出口２０側の除湿水貯留部上端２９を超えると、ファンケース２２内に除湿水が流れ込み、ファン２１が空気とともに除湿水を吸引して送風する。
【００３８】
除湿水の温度はファン２１が吸引する空気の温度よりも低いため、ファン２１が除湿水を吸引し始めると、温風温度検出手段２５の検出温度が急激に低下する。そこで、温風温度検出手段２５の所定時間内での検出温度最大値と最小値の差が閾値を超えると、制御手段４１が除湿水排水不良と判定することで除湿水の排水不良を精度良く検知できる。
【００３９】
よって、大量生産され安価で信頼性の高い一般的な温度検出手段で除湿水排水不良検知を実現でき、安価で簡素かつ信頼性の高い衣類乾燥機を提供できる。なお、除湿水排水不良を検知すると、制御手段４１は操作手段４０にその旨を表示し使用者に報知するとともに、圧縮機１０など動作中のものを全て停止する。
【００４０】
また、上述したように、温風温度検出手段２５の検出温度に基づいて乾燥工程における蒸発器１３と凝縮器１１での熱交換能力制御を行うとともに、乾燥工程の終了を判定している。よって、温風温度検出手段２５は除湿水排水不良検知以外にも用いることができ、さらに安価で簡素かつ信頼性の高い衣類乾燥機を提供できる。
【００４１】
また、温風温度検出手段２５は、ファンユニット２４の出口近傍に設けている。すなわち、ファン２１が除湿水を吸い込んで吐き出した直後の空気の温度を検出することにより、気水分離前の空気の温度を検出し、排水不良時発生時のファン２１が水を吸い込んだ際の温度検出手段２５の検出温度の低下度を大きくすることができ、排水不良検知の精度を高めることができる。なお、温風温度検出手段２５の取り付け位置は、ファン２１を通過し水槽２に至るまでの区間であればよい。
【００４２】
また、吸引排出口２０側の除湿水貯留部上端２９は、蒸発器１３および凝縮器１１の下端１３１および１１１よりも下方に位置している。これにより、排水不良が発生した際、蒸発器１３や凝縮器１１が除湿水に浸かる前に吸引排出口２０からファンケース２２に水が流れ出し、排水不良を検知できるので、蒸発器１３や凝縮器１１が水に浸かることによる乾燥性能の低下を防止することができる。
【００４３】
また、吸引排出口２０側の除湿水貯留部上端２９は、ファンモータ２３のシャフト２３１よりも下方に位置している。これにより、排水不良が発生した際、シャフト２３１の水没を防ぎ、シャフト２３１の錆や、ファンモータ２３の故障を防止することができる。
【００４４】
ところで、凝縮器１１の排出面側の吸引排出口２０の近傍域はファン２１の吸引力が最
も強く働き、蒸発器１３で生じた除湿水をファン２１が吸い込む恐れがある。そこで、凝縮器１１の排出面側の吸引排出口２０の近傍域に、吸引排出口２０から凝縮器１１に及ぶ吸引作用を抑える遮蔽壁３８を設けることにより、除湿水の排水が正常なのにファン２１が除湿水を吸い込むことを防止し、除湿水排水不良の誤検知を防ぐとともに、乾燥性能の悪化を防ぐことができる。
【００４５】
また、遮蔽壁３８は、凝縮器１１の排出面との間に隙間３９を有して設けられている。隙間３９を有することで、吸引排出口２０からの吸引は回り込んで凝縮器１１に及ぶので、凝縮器１１が遮蔽壁３８で覆われる範囲で通風を阻止されて機能しなくなることはない。
【００４６】
また、ファンケース２２下部に水抜き穴２６を設けたことにより、シャフト２３１の水没を防止し、ファンモータ２３の故障を防ぐことができる。
【００４７】
また、ファンモータ２３の動作中に水抜き穴２６を閉状態とし、停止中に開状態するファン２１の吸引力を利用する逆止弁２７を設けたことにより、ファンモータ２３の動作中の外気吸い込みによる温風温度低下を防止でき、乾燥性能の悪化を防止できる。
【００４８】
また、圧縮機１０と減圧手段１２を備え、除湿用熱交換器を蒸発器１３とし、加熱用熱交換器を凝縮器１１として冷凍サイクルを構成している。除湿用熱交換器が水冷式熱交換器で加熱用熱交換器が電気ヒータとフィンで構成される従来方式に比べて、消費電力や水使用量を減らしつつ、除湿および加熱能力を大幅に増大せしめ、乾燥時間の大幅な短縮と消費電力量や使用水量の大幅な削減を実現できる。
【００４９】
また、圧縮機１０を空調ユニットケース１４内に収容し、吸引排出口２０側の除湿水貯留部上端２９よりも圧縮機１０側の除湿水貯留部上端３０を高くしたことにより、除湿水が除湿水貯留部２８から圧縮機１０側に流れ込む前にファン２１側に流れ込んで排水不良を検知でき、圧縮機１０の水没を防ぐことができる。
【００５０】
また、回転ドラム３に収容した衣類の洗濯を可能にしたことにより、衣類の洗濯から乾燥までを同一槽内で一貫して行うことができ、単一筐体で省スペースの衣類洗濯乾燥機を提供できる。
【００５１】
なお、上記実施の形態では、洗濯から乾燥までを同一の槽内において自動で行う衣類洗濯乾燥機の例について述べているが、これに限定されるものではなく、乾燥のみを行う衣類乾燥機であっても同様の効果が得られる。
【００５２】
なお、上記実施の形態では、加熱用熱交換器として冷凍サイクルの凝縮器、除湿用熱交換器として同じく冷凍サイクルの蒸発器を用いているが、これに限定されるものではなく、例えば、加熱用熱交換器として電気ヒータ、除湿用熱交換器として水冷熱交換器を用いることもできる。
【産業上の利用可能性】
【００５３】
以上のように、本発明にかかる衣類乾燥機は、安価でかつ簡素な構成で、除湿水の排水不良を検知することができるので、除湿型の衣類乾燥機として有用である。
【符号の説明】
【００５４】
３  回転ドラム
１０  圧縮機
１１  凝縮器（加熱用熱交換器）
１２  減圧手段
１３  蒸発器（除湿用熱交換器）
１４  空調ユニットケース
１５  空調ユニット
１８  空調風路
１９  吸引導入口
２０  吸引排出口
２１  ファン
２２  ファンケース
２３  ファンモータ
２３１  シャフト
２４  ファンユニット
２５  温風温度検出手段
２６  水抜き穴
２７  逆止弁
２８  除湿水貯留部
３６  循環送風経路
３８  遮蔽壁
３９  隙間
４１  制御手段
【図１】
2010268943.tif 000003
【図２】
2010268943.tif 000004
【図３】
2010268943.tif 000005
【図４】
2010268943.tif 000006